(57)【特許請求の範囲】
【請求項１】
複数の筆記体を軸内に搭載して、選択的に夫々の筆記先端部を先端口から交互に出没可能とした複式筆記具に於いて、筆記体は略非変形で、且つ軸内に揺動なく嵌挿されるものであって、軸先に口先部が揺動可能に設けられて、前記夫々の筆記先端部が突出する際に口先部が揺動されてその先端口から貫出するよう構成されたことを特徴とする複式筆記具。
【請求項２】
軸先に口先部が抜け止め且つ揺動可能に軸支されて成る上記請求項１記載の複式筆記具。
【請求項３】
先端ボールを抱持するチップと後方にインク収容管を有し、該インク収容管内に筆記に伴う先端ボールの回転で粘性が低下して流出される、所謂剪断減粘性を有した水性ボールペンインキ又は低粘度の油性インキが充填され、インキの後端に筆記に伴うインキの消耗に追随して移動するグリース状の半透明不乾性物から成るフォロアが充填されて構成されたボールペン筆記体を少なくとも１本含む複数の筆記体を搭載して成る上記請求項１記載の複式筆記具。
【請求項４】
２種のボールペン筆記体を搭載して成り、先軸と後軸と、この後軸の内孔に後軸に対し略１８０度の範囲で回転可能に配設されると共に軸周面にカム溝が形成された回転軸と、後軸の後端に突出した回転軸の後端部に固定された操作体と、後軸に対し操作体と回転軸が回転のみ可能に保持されて、前記回転軸のカム溝と係合する突起部が夫々対向する内側に形成された一対の摺動コマが前記後軸の内孔に前後動のみ可能に案内され、夫々の摺動コマの前方に摺動コマと連動するように夫々の筆記体が設けられて、前記操作体の回転に伴う回転軸の回転で夫々の摺動コマが交互に前後動して夫々の筆記体が前後動するように構成されたことを特徴とする上記請求項１記載の複式筆記具。
【請求項５】
ボールペン筆記体に於いて、先端ボールがチップ先端のボール抱持部の内縁に常時は押圧して密接し、筆記時には密接状態が解除されるように設けられたスプリングを有することからなる上記請求項３記載の複式筆記具。
【請求項６】
操作体の一側面から後軸前方に向かって延設されたクリップと、該クリップの先方部に対接する後軸周面の所定位置に膨出部が設けられて、操作体を回転して筆記先端部が先端口から突出した状態のみに於いて、クリップの先方部が前記膨出部に設けた凹部に隠蔽されて、容易にクリップが胸ポケット等に差せないように構成したことを特徴とする上記請求項４記載の複式筆記具。
【請求項７】
ボールペン筆記体に於いて、チップ後端に対接してボール弁が遊嵌された弁室が設けられ、該弁室後部にボール弁が密接してインキの逆流を防ぐボール受け座及び該ボール受け座からインキ収容管に通ずる導孔が設けられて成る上記請求項５記載の複式筆記具。
【発明の詳細な説明】
【０００１】
【産業上の利用分野】
本発明は、略非変形の複数の筆記体を搭載して、夫々の筆記先端部を軸の先端口から容易に出没可能とする複式筆記具に関する。
【０００２】
【従来の技術】
一般に、ボールペン等の複数の筆記体を搭載して、軸先から選択的にその筆記先端部を出没可能とした複式筆記具が知られている。
又、複式筆記具の筆記先端部の出没機構としては、ノック式のもの、筆記具の軸筒側面から貫出したスライダーを交互に摺動させるスライダー式のもの、傾斜面を備えたカム筒を回転させて行うカム式のものなど種々知られている。
又、従来の出没機構は、筆記体を軸筒内に戻すためのリターンスプリングを内蔵しているため、構造が複雑で、部品点数も多く、コスト高となる問題がある。又、機構を内蔵するためのスペースが大きく、リフィール形状の自由度が少ない。
【０００３】
一方、中粘度の水性、低粘度の油性ボールペンはインキ収容管が太くなるために通常の太さの複式筆記具に搭載した場合、筆記体間の自由度がなく突出する筆記体の先端部が軸筒の先端孔にスムーズに求心されず、作動が阻害されて筆記先端部の出没が不可となる。従って、作動を可能とするために軸筒が極端に太くなって、携帯性、使い勝手が悪くなる欠点がある。
【０００４】
水性ボールペンは、粘度が数ｍＰａ・Ｓ以下の低粘性であるため、軽い筆記圧で書けることが利点であり、書き味が良好である特徴がある。しかしながら、インキがペン先からだらだらと流れ出る直流現象や、反対にボールペンの先から空気が流入してインキが流出する逆流現象などが起こり易い欠点がある。これらの現象は中綿と称する繊維の収束体などを用いて防止する方法がとられている。
又、キャップオフの状態で放置すると、溶媒の蒸気圧が高く、溶媒がれのため、先端が乾燥してインキが流出しなくなり、書けなくなってしまうという問題がある。
【０００５】
一方、従来知られている油性ボールペンは、それに使用するインキが粘度が数千ｍＰａ・Ｓ以上の高粘度のために、ペン先からインキが流出する際にボールが回転する時の抵抗が大きいため書き味が悪い欠点がある。又、筆記の際に先端から流出するインキ量は少なく、ボテ現象があり、筆記描線のムラがあり筆跡濃度が薄いこと、高い筆記圧が必要なことなどの問題がある。
この油性ボールペンの改良として、  最近、上記の水性と油性との中間粘度領域（数ｍＰａ・Ｓ〜数千ｍＰａ・Ｓ）のインキを用いる中粘度と呼ばれる水性インキ用ボールペンが開発されている。このものは、先端ボールの回転によって粘度が低下してインキがスムーズに流出する特性、所謂剪断減粘性を有する相対的に低粘性の水性のインキを用いたボールペンである。しかしながら、このものはインキが乾燥しやすい欠点があるために通常は筆記先端部をシールするキャップが必要である。又、インキの流出量が多くなり、筆記寿命を延ばすためにインキ収容管の径を太くしてインキの充填量を多くする必要がある。
【０００６】
又、上記油性ボールペンの改良として、耐乾燥性に優れた低粘度の油性インキを用いたボールペンが考えられるが、やはりインキの流出量が多くなり、筆記寿命を延ばすためにインキ収容管の径を太くしてインキの充填量を多くする必要がある。又、インキの粘度が低いために、チップ側を下向きにした場合に先端ボールとチップ抱持部の隙間が生じるとインキが滲みでる（直流）が生じたり、筆記時にインキの流出量が多くなる欠点がある。
【０００７】
上記、中粘度の水性インキ、低粘度の油性インキの何れも低粘性であることからインキが逆流や直流しやすい現象がある。インキが逆流や直流を起こすと衣類などを汚す危険がある。又、落下やノック衝撃で筆記掠れが生じやすい欠点がある。
又、筆記具に搭載して、その筆記先端部が突出したまま胸ポケット等に差した場合に、衣服を汚損するという問題もある。
又、中粘度の水性ボールペンは、通常インキ収容管後端に、フォロアと称されるグリース状の半透明不乾性物質が充填されるので、インキ蒸発防止の問題はペン先、即ちボールとホルダーの間隙からの蒸発低減化を考えればよい。例えば、油性ボールペンのように蒸気圧がかなり低い溶剤を主として用いれば、インキの蒸発は考慮しないですむ。しかし、水性インキの場合は水が主溶剤なので、低蒸気圧溶剤を選択しただけでは、水の蒸発を防げない。
【０００８】
【発明が解決しようとする課題】
本発明の目的は、上記従来技術の問題点を解決し、即ち、略非変形の複数の筆記体を軸内に搭載して、軸先端口から夫々の筆記体の筆記先端部を容易に出没可能とし、携帯性、使い勝手性に優れた複式筆記具を提供することにある。
又、インキの逆流、直流現象が生じず、ペン先の耐乾燥性が維持されてキャップを外して放置することができ、又、落下衝撃、上向き筆記によるインキの逆流やインキの直流を防止する機構を有する中粘度の水性、低粘度の油性ボールペンの筆記体を構成し、
当該ボールペン筆記体を少なくとも１本有した、複数の筆記体を軸内に搭載して、ボールペン筆記体の筆記先端部が突出したまま胸ポケット等に差せない状態と成して衣服を汚損することがない便利な複式筆記具を提供可能とする。
【０００９】
【課題を解決するための手段】
本発明の複式筆記具は、複数の筆記体を軸内に搭載して、選択的に夫々の筆記先端部を先端口から交互に出没可能とした複式筆記具に於いて、筆記体は略非変形で、且つ軸内に揺動なく嵌挿されるものであって、軸先に口先部が揺動可能に設けられて、前記夫々の筆記先端部が突出する際に口先部が揺動されてその先端口から貫出するよう構成されたことを特徴とする。
【００１０】
又、先端ボールを抱持するチップと後方にインク収容管を有し、該インク収容管内に筆記に伴う先端ボールの回転で粘性が低下して流出される、所謂剪断減粘性を有した水性ボールペンインキ又は低粘度の油性インキが充填され、インキの後端に筆記に伴うインキの消耗に追随して移動するグリース状の半透明不乾性物から成るフォロアが充填されて構成されたボールペン筆記体を少なくとも１本含む複数の筆記体を搭載して成る。
【００１１】
又、２種のボールペン筆記体を搭載して成り、先軸と後軸と、この後軸の内孔に後軸に対し略１８０度の範囲で回転可能に配設されると共に軸周面にカム溝が形成された回転軸と、後軸の後端に突出した回転軸の後端部に固定された操作体と、後軸に対し操作体と回転軸が回転のみ可能に保持されて、前記回転軸のカム溝と係合する突起部が夫々対向する内側に形成された一対の摺動コマが前記後軸の内孔に前後動のみ可能に案内され、夫々の摺動コマの前方に摺動コマと連動するように夫々の筆記体が設けられて、前記操作体の回転に伴う回転軸の回転で夫々の摺動コマが交互に前後動して夫々の筆記体が前後動するように構成されたことを特徴とする。
【００１２】
又、操作体の一側面から後軸前方に向かって延設されたクリップと、該クリップの先方部に対接する後軸周面の所定位置に膨出部が設けられて、操作体を回転して筆記先端部が先端口から突出した状態のみに於いて、クリップの先方部が前記膨出部に設けた凹部に隠蔽されて、容易にクリップが胸ポケット等に差せないように構成したことを特徴とする。
【００１３】
又、ボールペン筆記体に於いて、先端ボールがチップ先端のボール抱持部の内縁に常時は押圧して密接し、筆記時には密接状態が解除されるように設けられたスプリングを有することからなる。
又更に、チップ後端に対接してボール弁が遊嵌された弁室が設けられ、該弁室後部にボール弁が密接してインキの逆流を防ぐボール受け座及び該ボール受け座からインキ収容管に通ずる導孔が設けられて成る。
【００１４】
【実施例】
先ず、図１乃至図５は本発明の第１の実施例を示している。図１に於いて、２本のボールペン筆記体１ａ、１ｂが設けられている。
本発明の意図する複式筆記具は、所謂剪断減粘性を有した水性、又は低粘度の油性ボールペンインキが充填されたボールペン筆記体や、通常の油性ボールペン筆記体、シャープペンシルなどが必要に応じて組み合わせて用いられるものである。
【００１５】
図１の複式筆記具は、前部に位置した筆記具機構の部分を収納する先軸４９及び後軸３０と後軸の後端に配設された操作体４２とからなる。又、先軸４９の後部内周に雌螺子４９ａが形成されている。
又、後軸３０の前部には雄螺子３２が形成され、前記先軸４９の雌螺子４９ａと螺合されて、必要に応じて取り外されて筆記体の交換などを行う。
又、先軸４９の先端には球状を成した軸支部４９ｂが円周上又は円周上の所要箇所に部分的に形成され、それに対応して先端口５０ｂを有した口先部５０の後方内周部に前記軸支部４９ｂに係合する凹溝５０ａが形成されて、相互が弾性的に係合された状態で、先軸４９の先端に対し口先部５０が抜け止め且つ揺動可能に結合される。先軸と口先部の結合手段は種々あるが、例えば先軸と口先部との間にリング部材や弾性体を介在させて構成することも可能である。
【００１６】
又、上記後軸３０の内孔後端の内周に後述する回転軸３３の回転範囲を規制する回り止め用のリブ３０ａが形成されると共に段部３０ｂを有し、又、後軸３０の前方内周部に９０度間隔にあいて軸方向に形成された４本のガイド用のリブ３１が形成されている。
又、後軸３０のやや後方寄りの外周に３箇所で山形状の膨出部３９が形成され、２箇所の膨出部の中央には凹部４０ａ，４０ｂが設けられている。
【００１７】
回転軸３３は大径部３６の前方に小径部３４を有し、小径部３４の周面に螺旋状のカム溝３５が形成されている。又、前記大径部３６の後方に縮径した軸部を有し、その軸部の前方外周に突状の係止部３７が、後端に所要箇所で回転止め溝３８が設けられている。又、前記大径部３６の周面に、上記リブ３０ａが係合して後軸３０との間に於いて略１８０度の範囲で回転軸３３を回転規制する溝３６ａが設けられている。
尚、回転軸３３の回転角度を大きくすれば回転抵抗が小さくなって操作し易くなる利点があるが、回転角度が大きくなることでアクションが大きくなる点は操作上の欠点となる。従って、回転角度は軸体の径が小さい場合は１８０度寄りに、径が大きい場合は１２０度寄りに設計都合で選択される。
【００１８】
操作体４２は天冠４３と、天冠４３の外周部の一側面から前方に延設したクリップ４４で形成される。クリップ４４先方の内側には玉部４５が設けられ、天冠の前方には孔部４３ａが、孔部の前方周面に周状の係止溝４２ａと後方周面に所要箇所の回転止めリブ４１が設けられている。
【００１９】
摺動コマ４６ａ，４６ｂの前方には挿入孔４８ａ，４８ｂ設けられ、夫々の挿入孔には後述するボールペン筆記体１ａ，１ｂの後端を止着する内方突条の係止部５１ａ，５１ｂが設けられている。又、その後方の内面側には回転軸３３の回転に伴うカム溝３５の押圧で夫々の摺動コマが前後動するための４７ａ，４７ｂが形成されている。
又、摺動コマ４６ａ，４６ｂの外周には、上記後軸３０のガイド用のリブ３１に回転止め係合する溝５３ａ，５３ｂが設けられている。
従って、摺動コマ４６ａ，４６ｂの側面に設けた溝５３ａ，５３ｂがガイド用のリブ３１と夫々噛み合うことにより、摺動コマ４６ａ，４６ｂを円滑に前後動させる。又、摺動コマ４６ａ，４６ｂの横断面形状は略Ｄ形を成している。従って、従来例でよく示される、相対向する２つのガイド溝を有したガイド筒を取付ける複雑な構成を必要としない利点がある。
又、摺動コマ４６ａ，４６ｂは夫々の平坦側が相対接するが、相互間の摺動をより円滑とする為に、摺動コマ４６ｂにガイド突起５２ｂが、摺動コマ４６ａにはガイド突起５２ｂを嵌挿するガイド溝５２ａが設けられている。
【００２０】
そして、回転軸３３は上記摺動コマ４６ａ，４６ｂの突起部４７ａ，４７ｂをカム溝３５に係合させた状態で後軸３０の内孔に挿入され、大径部３６の後端が後軸の段部３０ａに当接されると共に回転軸３３の後端軸部に上記操作体４２が止着される。
その時、上記係止部３７が天冠４３の係止溝４２ａに係合し、回転止め溝３８が天冠の回転止めリブ４１に係合して回転軸３３と操作体４２は一体に固定されて、後軸３０に対し操作体４２を回転することで回転軸３３が回転し、それと共に一方の摺動コマが前進し、他方の摺動コマが後退する。
又、摺動コマ４６ａ，４６ｂの挿入孔４８ａ，４８ｂにボールペン筆記体１ａ，１ｂの後端部が止着され、後軸３０の前方に先軸４９が固定される。
【００２１】
又、筆記体の一方をシャープペンシルとした場合には、芯を繰り出すために回転軸３３を軸推移させる必要がある。その手段として、後軸３０の後端と操作体４２の内段との間にリターンスプリングを付勢して操作体の軸推移を回転軸、摺動コマに連動するように設ければよい。
【００２２】
ところで、図６は第２の実施例を示している。基本的には第１の実施例と同じであり相違点に付いては後述する作用で説明する。
【００２３】
次に、ボールペン筆記体１ａに付いて説明する。尚、ボールペン筆記体１ａと１ｂは同じ構成であり、例えば、インキ色などが異なるものである。
又、ボールペン筆記体に適用されるインキは所謂剪断減粘性を有した水性、低粘度の油性インキである。
【００２４】
図５に示すようにチップ１０は、インキ流入可能なチャンネルを有した座に先端ボール１１が略当接した状態で、先端ボール１１が回転自在に抱持されるようカシメられている。又、チップ１０の内孔部にスプリング１３が内挿され、スプリング１３の後端が抜出不能となるようにチップの軸部１２の後端を適宜カシメている。又、先端ボール１１がチップ抱持部の内面に密接することは筆記先端の乾燥、インキの直流防止に対し極めて重要であって、そのために先端ボールを抱持するチップ内面の表面粗さ、カシメによる密接精度を改善する為に内面の研削仕上げ、カシメ精度を上げる為の二次的な塑性加工が配慮される。又、先端ボールとの密接面に表面処理などが配慮される。
【００２５】
又、スプリング１３の先方は直線状の棒軸部１４となり、当該棒軸部１４の先端が先端ボール１１の後端に押圧状態で当接する。尚、先端ボール１１はその押圧によってチップ１０のボール抱持部（カシメなどで形成）の内縁に密接状態となる。
【００２６】
又、継ぎ手２は先端にチップ１０の軸部１２を圧着する前軸部３とインキ収容管１６の前端に圧着される後軸部４が形成されている。
又、前軸部３の内孔部後方にはボール弁１５が遊嵌している弁室６があり、弁室６の後方にはテーパー状又は球面状のボール受け座７と軸心に適宜偏心して設けられた導孔８とが設けられ、後軸部４の内孔がインキ収容管１６の内孔に連通している。又、弁室６の内壁の一側には軸方向にインキが流れる              ように溝部を設けている。（図示せず）この弁室６内の遊嵌しているボール弁１５は、チップ１０を下向きにした状態では、チップの軸部１２の後端に偏った状態に接してインキ流路を形成し、インキ収容管のインキは導孔８を通り前記溝部、前記インキ流路をなどを通じてチップ内孔部に流入する。逆に上向きの状態ではボール弁１５がボール受け座７に当接してインキの逆流を防止する機能が得られる。
【００２７】
又、インキ収容管１６内には上記ボールペンのインキ１７が充填され、更に、このインキ１７の後端にインキの消耗と共にインキ面に接触して追随して移動可能なグリース状の半透明不乾性物から成るフォロア１８が充填される。又、落下やノック衝撃等による変形を防止するために必要に応じてフォロア１８内にフォロアと略同等の比重を有する樹脂製のフォロア棒１９が浸漬される。インキ収容管１６の後端には尾栓２０が固着されていて、該尾栓後端の軸部に上述した摺動コマ４６ａ、４６ｂの前部に設けられている挿入孔の係止部５１ａ，５１ｂに着脱可能に止着する係止溝２２が設けられている。又、尾栓２０にはインキ収容管１６の内部と外気を連通する通気溝２１が設けられている。
尚、上記インキ収容管１６は一例として透明ＰＰ樹脂成形品等が使用される。又、インキ収容管１６をクリアドレン性に優れた材質で選定する。又、インキ収容管は継ぎ手２と一体に形成されてもよい。
【００２８】
又、インキ収容管１６のインキ収容部は比較的大きな断面積を有した非変形のものであって、実施例では後軸３０内に無駄なく嵌挿する略Ｄ形の断面形状を有している。尚、上記チップ１０と継ぎ手２を含めボールペン筆記体１ａ，１ｂは略非変形である。
【００２９】
【作用】
後軸３０に対して操作体４２を一方に回転すると、摺動コマ４６ａ，４６ｂの突起部４７ａ，４７ｂが回転軸３３の回転に伴いカム溝３５に沿って摺動して、何れか一方の摺動コマが前進、他方が後退して、前進側の筆記体の筆記先端部が口先部５０を揺動させてその先端口５０ｂから突出可能となる。即ち、ボールペン筆記体１ａ，１ｂが非変形であっても口先部５０がフレキシブルに変移するので作動が阻害されずにその先端口５０ｂからスムーズに筆記先端部が出没する。
【００３０】
又、一方のボールペン筆記体１ａが突出した状態に於いては、図１及び図３に示すようにクリップの玉部４５が後軸の膨出部３９の凹部４０ａに隠蔽されて容易にクリップ４４が胸ポケット等に差せない状態を作る。
【００３１】
次に、回転軸３３を回転すると摺動コマ４６ａが後退してボールペン筆記体１ａの筆記先端部が口先部５０内に没入すると共に、摺動コマ４６ｂが前進する。その時、筆記先端部が口先部内に収容された携帯状態となり、その状態に対するクリップが図３に示す４４ａ位置となって胸ポケット等に容易に差すことが可能となる。
【００３２】
更に回転軸３３を回転すると摺動コマ４６ａが更に後退し、摺動コマ４６ｂが更に前進してボールペン筆記体１ｂの筆記先端部が口先部５０の先端口５０ｂから突出する。その状態に対するクリップが図３に示す４４ｂ位置となって膨出部の凹部４０ｂに隠蔽されて容易にクリップ４４が胸ポケット等に差せない状態を作る。又、図４に示す回転軸の大径部３６の溝３６ａの当接部３６ｃが後軸のリブ３０ａに当接して他方の回転規制がなされる。
【００３３】
ところで、上述した図６に示す第２の実施例は後軸６０の膨出部６１に斜めの係止凹部６２を設けて、筆記先端部が突出した状態においてクリップ６４の屈曲した先端部６５を係止凹部６２に係合させて、クリップを胸ポケット等に全く差せない状態を作ったものである。
尚、実施例の形状に限らず、例えば、係止凹部を球状溝、蟻溝等に成して、又、係合するクリップの先端部又は玉部をそれに係合する形状に成せば、クリップが拡開せずクリップを全く胸ポケット等に差せない状態を作る。
【００３４】
又、ボールペン筆記体１ａは、チップ１０を上向きにした状態に於いて、そのボール弁１５が弁室６のボール受け座７に位置して導孔８を密閉するので、上向き筆記されてチップの先端ボール１１背面のインキがなくなっても、インキにヘッドが掛かり逆流することがない。従って、チップ１０を下向きにした時にはインキがすぐに流出可能となり、筆記で掠れが防止される。（因みにボール弁を有しない構造では、上向き筆記でインキが逆流方向に作用するのでチップ内に空気を巻き込み、下向き筆記で即インキが追随せず掠れが生じる）
【００３５】
チップ１０を下向きにした筆記状態に於いては、ボール弁１５がチップ１０後端の一方に偏った状態に当接し、他方にはチップ１０内にインキが流入可能な流路が構成され、インキ収容管１６から導孔８を経て弁室６に入ったインキ１７は先端ボール１１の背面まで誘導される。
この状態で、棒軸部１４の押圧で先端ボール１１がチップ抱持部の内縁に密接されるのでインキの直流が防止される。又、筆圧により先端ボール１１が微小に後退するので隙間を生じてインキが流出可能となり、筆記により先端ボール１１の回転でインキがスムーズに流出され、ボテが無く、筆跡濃度の高い筆記が可能となる。
【００３６】
先端ボール１１の背面にはチャンネル（チップ内孔に向かって貫通したインキ流入溝を複数箇所に有した先端ボールの受け座）がありチャンネルの中心孔には棒軸部１４が貫通する。チップ内のインキはインキ流入溝および中心孔と棒軸部１４との間の隙間を通じて先端ボール１１背面に誘導される。
【００３７】
【発明の効果】
本発明の複式筆記具の構成及び作用は以上の如くであり、口先部が揺動することによって、略非変形の筆記体先端部が容易に出没可能となり、便利な複式筆記具が携帯性、使い勝手性を満足した軸体の太さで提供可能となる。
又、所謂剪断減粘性を有した水性、低粘度の油性インキを使用したボールペン筆記体を搭載して、ボテの無い、描線の濃い、筆記掠れの無い、且つ、キャップを不要として筆記先端部を出没可能とし、且つ、インキの直流や上向き筆記、ノック及び落下衝撃に対するインキの逆流で軸筒内や手や衣服等を汚す事故が防止される。
又、操作体を回転して筆記先端部が口先部の先端口から突出した状態のみに於いて、クリップの先方部が上記膨出部に設けた凹部に隠蔽されるので容易に或いは全くクリップが胸ポケット等に差せなくなるので、筆記先端部を突出したまま胸ポケット等に差すこともなく、従って、衣服を汚損する事故が防止される。
【図面の簡単な説明】
【図１】本発明の第１の実施例である複式筆記具の全体を示す縦断面図で、一部非断面で示されている。又、２種のボールペン筆記体が搭載されている。
【図２】図１に於けるＣ−Ｃ矢視断面図であるが、摺動コマ４６ａには筆記体が止着されてない状態で示している。
【図３】図１に於けるＢ−Ｂ断面図を示している。又、操作体の回転に伴うクリップの位置を示している。
【図４】図１に於けるＡ−Ａ断面図である。
【図５】ボールペン筆記体１ａの縦断面図である。
【図６】第２の実施例である複式筆記具の後半部を示す縦断面図で、一部非断面で示されている。
【符号の説明】
１ａ  ボールペン筆記体
１ｂ  ボールペン筆記体
２  継ぎ手
３  前軸部
４  後軸部
５  鍔部
６  弁室
７  ボール受け座
８  導孔
９  内孔部
１０  チップ
１１  先端ボール
１２  軸部
１３  スプリング
１４  棒軸部
１５  ボール弁
１６  インキ収容管
１７  インキ
１８  フォロア
１９  フォロア棒
２０  尾栓
２１  通気溝
２２  係止溝
３０  後軸
３０ａ  リブ
３０ｂ  段部
３１  ガイド用のリブ
３２  雄螺子
３３  回転軸
３４  小径部
３５  カム溝
３６  太径部
３６ａ  溝
３６ｂ  当接部
３６ｃ  当接部
３７  係止部
３８  回り止め溝
３９  膨出部
４０ａ  凹部
４０ｂ  凹部
４１  回り止めリブ
４２  操作体
４２ａ  係止溝
４３  天冠
４３ａ  孔部
４４  クリップ
４４ａ  クリップ（位置）
４４ｂ  クリップ（位置）
４５  玉部
４６ａ  摺動コマ
４６ｂ  摺動コマ
４７ａ  突起部
４７ｂ  突起部
４８ａ  挿入孔
４８ｂ  挿入孔
４９  先軸
４９ａ  雌螺子
４９ｂ  軸支部
５０  口先部
５０ａ  凹溝
５０ｂ  先端口
５１ａ  係止部
５１ｂ  係止部
５２ａ  ガイド溝
５２ｂ  ガイド突起
５３ａ  溝
５３ｂ  溝
６０  後軸
６１  膨出部
６２  係合凹部
６３  操作体
６４  クリップ
６５  先端部
【図１】
0003583219.tif 000002
【図２】
0003583219.tif 000003
【図３】
0003583219.tif 000004
【図４】
0003583219.tif 000005
【図５】
0003583219.tif 000006
【図６】
0003583219.tif 000007